(57)【要約】【課題】メディアドライブとチューナとの切り替えや異種メディアの交換などの入力切替処理を映像の乱れなく迅速に実現する。【解決手段】第２のクロック生成器２０が、第１のクロック生成器１７とは別に、独自に、ＨＤＭＩ信号の解像度に対応した第３のクロック信号を生成してＨＤＭＩ出力器１６に供給する。ＨＤＭＩ出力器１６が、第２のクロック生成器２０から供給される第３のクロック信号に従ってＨＤＭＩ信号の出力動作を行う。フォーマット変換器１３は、変動する入力解像度を、固定化されたＨＤＭＩ出力器１６での出力解像度に合わせて、解像度変換する。【選択図】図１
2009100456.tif 000002
【特許請求の範囲】
【請求項１】
第１のビデオデータと前記第１のビデオデータに同期する第１のクロック信号とが入力されるビデオ入力器と、
前記ビデオ入力器に入力された前記第１のビデオデータを、解像度変換して第２のビデオデータを生成するフォーマット変換器と、
前記第２のビデオデータをＨＤＭＩ信号に変換するＨＤＭＩ変換器と、
前記ビデオ入力器に入力された前記第１のクロック信号に基づいて、前記第２のビデオデータの解像度に対応する周波数を有する第２のクロック信号を生成して前記フォーマット変換器および前記ＨＤＭＩ変換器に供給する第１のクロック生成器と、
前記ＨＤＭＩ信号の解像度に対応する周波数を有する第３のクロック信号を生成して、前記ＨＤＭＩ変換器に供給する第２のクロック生成器と、
を備え、
前記フォーマット変換器は、前記第１のクロック信号と前記第２のクロック信号とに基づいて前記第１のビデオデータを前記第２のビデオデータに変換し、
前記ＨＤＭＩ変換器は、前記第２のクロック信号と前記第３のクロック信号とに基づいて前記第２のビデオデータを前記ＨＤＭＩ信号に変換する、
ビデオ・オーディオ出力装置。
【請求項２】
前記ＨＤＭＩ変換器は、
前記第２のビデオデータのカラースペースを所望のカラースペースに変換するカラースペース変換器と、
カラースペース変換後の前記第２のビデオデータを前記ＨＤＭＩ信号に変換するＨＤＭＩ出力器と、
を備え、
前記第２のクロック信号は、前記フォーマット変換器および前記カラースペース変換器に供給され、
前記第３のクロック信号は、前記ＨＤＭＩ出力器に供給される、
請求項１のビデオ・オーディオ出力装置。
【請求項３】
前記ＨＤＭＩ信号の送信先である受信機器からその受信能力情報を取得する受信能力情報取得器と、
前記受信能力情報取得器が取得した前記受信能力情報を解析して前記受信機器で受信可能な最大解像度を割り出す受信能力解析器と、
前記受信能力解析器が割り出した前記最大解像度を前記フォーマット変換器および前記ＨＤＭＩ出力器に設定する解像度設定器と、
をさらに備える、
請求項２のビデオ・オーディオ出力装置。
【請求項４】
当該ビデオ・オーディオ出力装置は、オーディオデータが入力されるオーディオ入力器をさらに備え、
前記ＨＤＭＩ変換器は、前記第２のビデオデータと前記オーディオデータとを前記第３のクロック信号に同期して合成してビデオ・オーディオ合成データを生成するビデオ・オーディオ合成器と、
をさらに備え、
前記ＨＤＭＩ出力器は、前記ビデオ・オーディオ合成データを前記ＨＤＭＩ信号に変換する、
請求項２のビデオ・オーディオ出力装置。
【請求項５】
前記ＨＤＭＩ変換器は、前記第２のビデオデータを前記第２のクロック信号に同期して暗号化する暗号化器を、
さらに備え、
前記ＨＤＭＩ出力器は、暗号化された前記第２のビデオデータを前記ＨＤＭＩ信号に変換する、
請求項２のビデオ・オーディオ出力装置。
【請求項６】
前記ＨＤＭＩ変換器は、前記ビデオ・オーディオ合成データを前記第３のクロック信号に同期して暗号化する暗号化器を、
さらに備え、
前記ＨＤＭＩ出力器は、暗号化された前記ビデオ・オーディオ合成データを前記ＨＤＭＩ信号に変換する、
請求項４のビデオ・オーディオ出力装置。
【請求項７】
解像度変動を伴う前記第１のビデオデータの入力切替が前記ビデオ入力器に生じると、切替後の前記第１のビデオデータが前記ビデオ入力器から出力されるのに先だって、前記ＨＤＭＩ信号の出力ミュート指示を前記ＨＤＭＩ出力器に行うステップと、
切替後の前記第１のビデオデータを前記ビデオ入力器から出力するステップと、
前記ビデオ入力器から出力された切替後の前記第１のビデオデータから、切替前の前記第１のビデオデータから生成されていた切替前の前記第２のビデオデータと同じ解像度を有する切替後の前記第２のビデオデータを、前記フォーマット変換器で生成するステップと、
前記ＨＤＭＩ出力器の出力ミュートを解除したうえで、切替後の前記第２のビデオデータから切替後の前記ＨＤＭＩ信号を、前記ＨＤＭＩ出力器で生成して出力するステップと、
を含む、
請求項２のビデオ・オーディオ出力装置の制御方法を実行するプログラムを保存する記録媒体。
【請求項８】
解像度変動を伴う前記第１のビデオデータの入力切替が前記ビデオ入力器に生じると、切替後の前記第１のビデオデータが前記ビデオ入力器から出力されるのに先だって、前記ＨＤＭＩ信号の出力ミュート指示を前記ＨＤＭＩ出力器に行うステップと、
切替後の前記第１のビデオデータを前記ビデオ入力器から出力するステップと、
前記ビデオ入力器から出力された切替後の前記第１のビデオデータから、切替前の前記第１のビデオデータから生成されていた切替前の前記第２のビデオデータと同じ解像度を有する切替後の前記第２のビデオデータを、前記フォーマット変換器で生成するステップと、
切替後の前記第２のビデオデータを前記暗号化器によって暗号化するステップと、
前記ＨＤＭＩ出力器の出力ミュートを解除したうえで、暗号化された切替後の前記第２のビデオデータから切替後の前記ＨＤＭＩ信号を、前記ＨＤＭＩ出力器で生成して出力するステップと、
を含む、
請求項５のビデオ・オーディオ出力装置の制御方法を実行するプログラムを保存する記録媒体。
【請求項９】
解像度変動を伴う前記第１のビデオデータの入力切替が前記ビデオ入力器に生じると、切替後の前記第１のビデオデータが前記ビデオ入力器から出力されるのに先だって、前記ＨＤＭＩ信号の出力ミュート指示を前記ＨＤＭＩ出力器に行うステップと、
切替後の前記第１のビデオデータを前記ビデオ入力器から出力するステップと、
前記ビデオ入力器から出力された切替後の前記第１のビデオデータから、切替前の前記第１のビデオデータから生成されていた切替前の前記第２のビデオデータと同じ解像度を有する切替後の前記第２のビデオデータを、前記フォーマット変換器で生成するステップと、
前記ビデオ・オーディオ合成器で、切替後の前記第２のビデオデータと前記オーディオデータとを前記第３のクロック信号に同期して合成して切替後の前記ビデオ・オーディオ合成データを生成するステップと、
切替後の前記ビデオ・オーディオ合成データを前記暗号化器によって暗号化するステップと、
前記ＨＤＭＩ出力器の出力ミュートを解除したうえで、暗号化された切替後の前記ビデオ・オーディオ合成データから切替後の前記ＨＤＭＩ信号を、前記ＨＤＭＩ出力器で生成して出力するステップと、
を含む、
請求項６のビデオ・オーディオ出力装置の制御方法を実行するプログラムを保存する記録媒体。
【請求項１０】
カラースペース変動を伴う前記第１のビデオデータの入力切替が前記ビデオ入力器に生じると、切替後の前記第１のビデオデータが前記ビデオ入力器から出力されるのに先だって、前記ＨＤＭＩ信号の出力ミュート指示を前記ＨＤＭＩ出力器に行うステップと、
切替後の前記第１のビデオデータを前記ビデオ入力器から出力するステップと、
前記ビデオ入力器から出力された切替後の前記第１のビデオデータから、切替前の前記第１のビデオデータから生成されていた切替前の前記第２のビデオデータと同じカラースペースを有する切替後の前記第２のビデオデータを、前記カラースペース変換器で生成するステップと、
前記ＨＤＭＩ出力器の出力ミュートを解除したうえで、切替後の前記第２のビデオデータから切替後の前記ＨＤＭＩ信号を、前記ＨＤＭＩ出力器で生成して出力するステップと、
を含む、
請求項２のビデオ・オーディオ出力装置の制御方法を実行するプログラムを保存する記録媒体。
【請求項１１】
カラースペース変動を伴う前記第１のビデオデータの入力切替が前記ビデオ入力器に生じると、切替後の前記第１のビデオデータが前記ビデオ入力器から出力されるのに先だって、前記ＨＤＭＩ信号の出力ミュート指示を前記ＨＤＭＩ出力器に行うステップと、
切替後の前記第１のビデオデータを前記ビデオ入力器から出力するステップと、
前記ビデオ入力器から出力された切替後の前記第１のビデオデータから、切替前の前記第１のビデオデータから生成されていた切替前の前記第２のビデオデータと同じカラースペースを有する切替後の前記第２のビデオデータを、前記カラースペース変換器で生成するステップと、
切替後の前記第２のビデオデータを前記暗号化器によって暗号化するステップと、
前記ＨＤＭＩ出力器の出力ミュートを解除したうえで、暗号化された切替後の前記第２のビデオデータから切替後の前記ＨＤＭＩ信号を、前記ＨＤＭＩ出力器で生成して出力するステップと、
を含む、
請求項５のビデオ・オーディオ出力装置の制御方法を実行するプログラムを保存する記録媒体。
【請求項１２】
カラースペース変動を伴う前記第１のビデオデータの入力切替が前記ビデオ入力器に生じると、切替後の前記第１のビデオデータが前記ビデオ入力器から出力されるのに先だって、前記ＨＤＭＩ信号の出力ミュート指示を前記ＨＤＭＩ出力器に行うステップと、
切替後の前記第１のビデオデータを前記ビデオ入力器から出力するステップと、
前記ビデオ入力器から出力された切替後の前記第１のビデオデータから、切替前の前記第１のビデオデータから生成されていた切替前の前記第２のビデオデータと同じカラースペースを有する切替後の前記第２のビデオデータを、前記カラースペース変換器で生成するステップと、
前記ビデオ・オーディオ合成器で、切替後の前記第２のビデオデータと前記オーディオデータとを前記第３のクロック信号に同期して合成して切替後の前記ビデオ・オーディオ合成データを生成するステップと、
切替後の前記ビデオ・オーディオ合成データを前記暗号化器によって暗号化するステップと、
前記ＨＤＭＩ出力器の出力ミュートを解除したうえで、暗号化された切替後の前記ビデオ・オーディオ合成データから切替後の前記ＨＤＭＩ信号を、前記ＨＤＭＩ出力器で生成して出力するステップと、
を含む、
請求項６のビデオ・オーディオ出力装置の制御方法を実行するプログラムを保存する記録媒体。
【請求項１３】
第１のビデオデータと前記第１のビデオデータに同期する第１のクロック信号とが入力されるステップと、
前記第１のビデオデータを解像度変換して第２のビデオデータを生成するステップと、
前記第２のビデオデータをＨＤＭＩ信号に変換するステップと、
前記第１のクロック信号に基づいて、前記第２のビデオデータの解像度に対応する周波数を有する第２のクロック信号を生成するステップと、
前記ＨＤＭＩ信号の解像度に対応する周波数を有する第３のクロック信号を生成するステップと、
を含み、
前記第２のビデオデータを前記ＨＤＭＩ信号に変換するステップでは、前記第３のクロック信号に従って前記ＨＤＭＩ信号を変換する、
解像度変換方法を実行するプログラムを保存する記録媒体。
【発明の詳細な説明】
【技術分野】
【０００１】
本発明は、ＤＶＤプレーヤ、ＤＶＤレコーダ、ＢＤ（Blu-ray Disc）レコーダなどとデジタルＴＶなどの受信機器間を接続する場合にデジタル信号出力可能なビデオ・オーディオ出力装置、ビデオ・オーディオ出力装置制御用プログラムおよび解像度変換方法に関する。
【背景技術】
【０００２】
図６は従来の技術におけるビデオ・オーディオ出力装置ＢとＨＤＭＩ（High Definition Multimedia Interface）接続された受信機器３０のシステムの概略構成を示す。ビデオ・オーディオ出力装置Ｂと受信機器３０はＨＤＭＩケーブル４０で接続されている。ビデオ・オーディオ出力装置Ｂ内のＨＤＭＩ送信装置１０は、入力されたビデオデータおよびオーディオデータをＨＤＭＩケーブル４０経由で受信機器３０に送信する。
【０００３】
ビデオ・オーディオ出力装置Ｂは、チューナ１と、ＤＶＤドライブ２と、Ｂ／Ｅ ＬＳＩ内蔵のＣＰＵ３と、ＨＤＭＩ送信装置１０とを備える。ＨＤＭＩ送信装置１０は、チューナ１やＤＶＤドライブ２からＣＰＵ３を介して入力されてくるビデオデータが入力されるビデオ入力器１１と、ビデオデータのカラースペース（ＣＳ）変換を行うＣＳ変換器２２と、チューナ１やＤＶＤドライブ２からＣＰＵ３を介して供給されるオーディオデータが入力されるオーディオ入力器１２と、ビデオ入力器１１から入力されるビデオデータとオーディオ入力器１２から入力されるオーディオデータとを同期させて合成するビデオ・オーディオ合成器１４と、ビデオ・オーディオ合成データを暗号化する暗号化器１５と、ビデオ・オーディオ合成データをＨＤＭＩ信号に変換して外部に出力するＨＤＭＩ出力器１６と、ビデオ入力器１１においてビデオデータと同期して入力されたクロック信号ＣＫ０から出力用クロック信号ＣＫ１を生成するクロック生成器１７と、ＣＰＵ３からの設定要求を受け、各部の動作モードを切り替えるレジスタ１８とを備える。
【０００４】
ＨＤＭＩ送信装置１０では、ビデオ入力器１１に入力されるクロック信号ＣＫ０に基づいて出力用クロック信号ＣＫ１が生成されるため、ビデオデータの解像度が変動すると出力用クロック信号ＣＫ１も変動する。特にＨＤＭＩ機器のようなデジタル信号を暗号化して出力するＨＤＭＩ送信装置では、出力ビデオデータ（ＨＤＭＩ信号）のクロックが乱れると、出力映像が顕著に乱れる。そこでこのような不都合を回避するために、従来のＨＤＭＩ送信装置では、ＨＤＭＩ信号の出力を一時停止したうえで再度出力を開始した後に、接続機器との再認証が行われる。
【０００５】
次に、従来のＨＤＭＩ送信装置１０において、ＤＶＤドライブ２とチューナ１との切り替えや異種ＤＶＤの交換などの入力切替処理時のシーケンス動作を図７を参照して説明する。以下の説明では、上記入力切替処理の直前においては、ＤＶＤドライブ２が出力するビデオデータが、１０８０Ｐの解像度（クロック信号は１４８．３５２ＭＨｚ）でビデオ入力器１１に入力されたうえで、ＨＤＭＩ出力器１６から出力されていた、とする。
【０００６】
この状態でビデオデータの供給源がＤＶＤドライブ２からチューナ１に切り替えられる処理が発生すると、ＣＰＵ３はＨＤＭＩ送信装置１０内のレジスタ１８に入力切替処理を要求する。するとそれに応じてレジスタ１８がＨＤＭＩ出力器１６に出力停止を通知する（Ｎ１）。出力停止後に、著作権保護にかかわるＨＤＣＰ（High-bandwidth Digital Content Protection System）の暗号化がＯＦＦにされて、暗号化器１５が初期状態にされる（Ｎ２）。次いで、ＣＰＵ３が入力切替処理（ＤＶＤドライブ→チューナ）を行う（Ｎ３）。次いで、ＣＰＵ３はレジスタ１８に入力切替処理後におけるビデオデータの解像度を設定する（Ｎ４）。ここでは１０８０ｉの解像度（クロック信号は約７４．１７６ＭＨｚ）が設定される。次いで、ビデオデータの出力が開始されたことがレジスタ１８経由でＨＤＭＩ出力器１６に通知される（Ｎ５）。その後、接続機器である受信機器３０とビデオ・オーディオ出力装置Ｂとの間で認証処理が行われるとともに、暗号化器１５でビデオ・オーディオ合成データの暗号化が開始される（Ｎ６）。次いで、レジスタ１８経由でＨＤＭＩ出力器１６にＨＤＭＩ信号の出力ミュート解除が通知される（Ｎ７）。受信機器３０側での映像の切り替わりが完了するまでの時間区間（Ｔｂ＋Ｔｃ）はシステムによって異なるが、通常、数秒間となる。
【０００７】
なお、前述した不都合（ＨＤＭＩ信号のおけるクロックの乱れが出力映像に顕著に乱れること）については、特許文献１において、出力解像度を最高解像度に固定する方法について概要が記載されているが、この文献には具体的な実施例が開示されていない。
【０００８】
次に、従来のＨＤＭＩ送信装置において、入力カラースペース切替時のシーケンス動作を図９を参照して説明する。以下の説明では、入力カラースペース切替処理の直前においては、ＤＶＤドライブ２が出力するビデオデータが、ＲＧＢ信号としてビデオ入力器１１に入力されたうえで、ＣＳ変換器２２でカラースペース変換（ＲＧＢ→ＹＣｂＣｒ）されて、ＨＤＭＩ出力器１６から出力されていた、とする。
【０００９】
この状態でＤＶＤドライブ２における再生メディア入れ替え等の変更に伴ってビデオデータにおいてカラースペースの切替が発生すると、ＣＰＵ３は、ＨＤＭＩ送信装置１０内のレジスタ１８に入力切替処理を要求する。これに応じてレジスタ１８は、ＨＤＭＩ出力器１６に出力停止を通知する（Ｑ１）。出力停止後に、ＨＤＣＰの暗号化がＯＦＦにされて、暗号化器１５が初期状態にされる（Ｑ２）。次いで、ＣＰＵ３側で入力切替処理（ＲＧＢ→ＹＣｂＣｒ）が行われる（Ｑ３）。次いで、レジスタ１８に入力切替処理後のカラースペース（ここではＹＣｂＣｒ）が設定される（Ｑ４）。次いで、レジスタ１８経由でＨＤＭＩ出力器１６にＨＤＭＩ信号の出力再開が通知される（Ｑ５）。その後、接続機器である受信機器３０との間で認証処理が行われたうえで、暗号化器１５がビデオ・オーディオ合成データの暗号化を開始する（Ｑ６）。次いで、レジスタ１８経由でＨＤＭＩ出力器１６にＨＤＭＩ信号の出力ミュートの解除が通知される（Ｑ７）。受信機器３０側でカラースペース切替に起因する映像の切り替わりが完了するまでの時間区間（Ｔｇ＋Ｔｈ）はシステムによって異なるが、通常、数秒間となる。
【特許文献１】特開２００７−８９０１３号
【発明の開示】
【発明が解決しようとする課題】
【００１０】
従来のＨＤＭＩ送信装置１０においては、入力されてくるクロック信号ＣＫ０からビデオ出力用クロック信号ＣＫ１が生成されるため、入力されるビデオデータの解像度が変動すると、これに伴って出力用クロック信号ＣＫ１が変動する。そのため、ＨＤＭＩ送信装置１０に接続される受信機器３０側では映像に乱れが生じる。このような不都合を回避するには、従来では、ＨＤＭＩケーブル４０への出力を一時停止しなければならなかった。特にＨＤＭＩ機器のようなデジタル信号を暗号化して出力するＨＤＭＩ送信装置１０では、出力用クロック信号ＣＫ１が乱れると、ピクセルクロックごとの暗号化のために実施する認証にずれが発生して、受信機器３０側での出力映像の乱れが顕著になる。そのため出力を一時停止したうえで、入力ビデオ解像度が変動した後に、再度出力を開始して接続機器との間で再認証を行わなければならず、再出画までに数秒間時間を要していた。
【００１１】
したがって、本発明の主たる目的は、メディアドライブとチューナとの切り替えや異種メディアの交換などの入力切替処理に際して、映像の乱れなく迅速に入力切替処理を実現することである。
【課題を解決するための手段】
【００１２】
上述した課題を解決するために本発明は、以下の構成を備える。
【００１３】
（１）本発明によるＨＤＭＩ送信装置は、
第１のビデオデータと前記第１のビデオデータに同期する第１のクロック信号とが入力されるビデオ入力器と、
前記ビデオ入力器に入力された前記第１のビデオデータを、解像度変換して第２のビデオデータを生成するフォーマット変換器と、
前記第２のビデオデータをＨＤＭＩ信号に変換するＨＤＭＩ変換器と、
前記ビデオ入力器に入力された前記第１のクロック信号に基づいて、前記第２のビデオデータの解像度に対応する周波数を有する第２のクロック信号を生成して前記フォーマット変換器および前記ＨＤＭＩ変換器に供給する第１のクロック生成器と、
前記ＨＤＭＩ信号の解像度に対応する周波数を有する第３のクロック信号を生成して、前記ＨＤＭＩ変換器に供給する第２のクロック生成器と、
を備え、
前記フォーマット変換器は、前記第１のクロック信号と前記第２のクロック信号とに基づいて前記第１のビデオデータを前記第２のビデオデータに変換し、
前記ＨＤＭＩ変換器は、前記第２のクロック信号と前記第３のクロック信号とに基づいて前記第２のビデオデータを前記ＨＤＭＩ信号に変換する。
【００１４】
第１のクロック生成器が生成する第２のクロック信号は、第１のビデオデータに同期する状態でビデオ入力器に入力される第１のクロック信号から生成されるものであるので、メディアドライブとチューナとの切り替えや異種メディアの交換などの入力切替処理に起因して第１のビデオデータの解像度に変動が生じると、結果的に第２のクロック信号の周波数も変動する。このようにして周波数変動する第２のクロック信号を用いてＨＤＭＩ変換器が第２のビデオデータ（ＨＤＭＩ信号）を出力するとなると、入力切替処理前における受信機器側の出力解像度との間に不一致が生じて映像が乱れる。
【００１５】
これに対して、本発明では、その対策として２つの構成要素を設けている。１つは第２のクロック生成器であり、もう１つはフォーマット変換器である。第２のクロック生成器は、第１のクロック生成器とは別に、独自に、ＨＤＭＩ信号の解像度に対応した第２のクロック信号を生成してＨＤＭＩ出力器に供給する。これにより、ＨＤＭＩ出力器は、従来技術とは異なって、周波数変化するクロック信号から切り離されたものになる。ＨＤＭＩ出力器は、第２のクロック生成器から供給される第３のクロック信号に従ってＨＤＭＩ信号の出力動作を行う。ＨＤＭＩ信号は、解像度変換前と解像度変換後とで変わらない。つまり、出力解像度は固定化しているということである。
【００１６】
出力解像度は固定化している一方、入力解像度は変動するので、変動する入力解像度を固定の出力解像度に変換する必要がある。この変換のために、フォーマット変換器を設けているのである。フォーマット変換器は、変動する入力解像度を、固定化されたＨＤＭＩ出力器での出力解像度に合わせて、解像度変換する。
【００１７】
以上の結果、メディアドライブとチューナとの切り替えや異種メディアの交換などの入力切替処理時において、この入力切替処理に起因して入力解像度が変動しても、出力解像度に変動はなく、ＨＤＭＩ送信装置と受信機器との接続関係や認証関係に不整合が生じない。よって、ＨＤＭＩ送信装置から受信機器へのＨＤＭＩ信号の出力停止を行う必要がなく、出力再開も再認証が不要となる。したがって、入力切替処理に際して、映像の乱れなく迅速に入力切替処理を実現することが可能となる。
【００１８】
（２）本発明のＨＤＭＩ送信装置は、
前記ＨＤＭＩ変換器は、
前記第２のビデオデータのカラースペースを所望のカラースペースに変換するカラースペース変換器と、
カラースペース変換後の前記第２のビデオデータを前記ＨＤＭＩ信号に変換するＨＤＭＩ出力器と、
を備え、
前記第２のクロック信号は、前記フォーマット変換器および前記カラースペース変換器に供給され、
前記第３のクロック信号は、前記ＨＤＭＩ出力器に供給される、
のが好ましい。
【００１９】
（３）また、本発明においては、前記ＨＤＭＩ信号の送信先である受信機器からその受信能力情報を取得する受信能力情報取得器と、
前記受信能力情報取得器が取得した前記受信能力情報を解析して前記受信機器で受信可能な最大解像度を割り出す受信能力解析器と、
前記受信能力解析器が割り出した前記最大解像度を前記フォーマット変換器および前記ＨＤＭＩ出力器に設定する解像度設定器とを、
さらに備える、
という態様がある。
【００２０】
この態様では、受信能力情報取得器が受信機器からその受信能力情報を取得したうえで、受信能力解析器が取得した受信能力情報を解析して受信可能な最大解像度を割り出す。さらに、解像度設定器は受信可能な最大解像度をフォーマット変換器およびＨＤＭＩ出力器に設定する。これにより、フォーマット変換器およびＨＤＭＩ出力器に、最大解像度を自動的に設定することが可能となる。なお、受信能力情報については、一例としてＥＤＩＤ（Extended Display Identification Data）を挙げることができる。
【００２１】
（４）本発明のＨＤＭＩ送信装置には、
当該ビデオ・オーディオ出力装置は、オーディオデータが入力されるオーディオ入力器をさらに備え、
前記ＨＤＭＩ変換器は、前記第２のビデオデータと前記オーディオデータとを前記第３のクロック信号に同期して合成してビデオ・オーディオ合成データを生成するビデオ・オーディオ合成器と、
をさらに備え、
前記ＨＤＭＩ出力器は、前記ビデオ・オーディオ合成データを前記ＨＤＭＩ信号に変換する、
という態様がある。
【００２２】
この態様によれば、ビデオデータだけでなくオーディオデータも扱う仕様においても、受信機器で映像および音声の乱れなくＨＤＭＩ信号を迅速に出力することが可能となる。
【００２３】
（５）本発明には、
前記ＨＤＭＩ変換器は、前記第２のビデオデータを前記第２のクロック信号に同期して暗号化する暗号化器を、
さらに備え、
前記ＨＤＭＩ出力器は、暗号化された前記第２のビデオデータを前記ＨＤＭＩ信号に変換する、
という態様がある。
【００２４】
この態様によれば、第２のビデオデータが暗号化器によって暗号化されたうえで、暗号化された第２のビデオデータがＨＤＭＩ出力器でＨＤＭＩ信号に変換されたうえで、変換により生成されたＨＤＭＩ信号が受信機器に出力される。受信機器では、ＨＤＭＩ信号（暗号化された第２のビデオデータ）が復号されて表示される。ここで、暗号化処理が第３のクロック信号に同期しているとともに、出力解像度が不変であって第３のクロック信号が固定である。そのため、暗号化された第２のビデオデータを扱うにもかかわらず、入力切替処理に際して出力映像に乱れを生じさせることなく迅速にＨＤＭＩ信号を出力することが可能となる。
【００２５】
（６）本発明には、
前記ビデオ・オーディオ合成データを前記第３のクロック信号に同期して暗号化する暗号化器を、
さらに備え、
前記ＨＤＭＩ出力器は、暗号化された前記ビデオ・オーディオ合成データを前記ＨＤＭＩ信号に変換する、
という態様がある。
【００２６】
この態様によれば、ビデオ・オーディオ合成データが暗号化器によって暗号化されたうえで、ＨＤＭＩ出力器からＨＤＭＩ信号として受信機器に出力される。受信機器では、暗号化されたビデオ・オーディオ合成データからなるＨＤＭＩ信号を復号して分離することで、ビデオデータとオーディオデータとが生成されるが、ビデオ・オーディオ合成データの暗号化処理が第２のクロック信号に同期しているとともに、出力解像度が不変で第３のクロック信号が固定であるので、暗号化されたビデオ・オーディオ合成データを扱うにもかかわらず、入力切替処理に際して、出力映像に乱れを生じさせることなく迅速にＨＤＭＩ信号を出力することが可能となる。
【００２７】
（７）本発明のビデオ・オーディオ出力装置の制御方法は、
解像度変化を伴う入力切替処理に際して、前記ＨＤＭＩ出力器のミュートを指示するステップと、
前記ビデオ入力器において解像度変化を伴う入力切替処理を行うステップと、
前記ビデオ入力器からのビデオデータに対して前記フォーマット変換器によって出力解像度は元のまま入力切替処理後の新入力解像度から前記元と同じ出力解像度への解像度変換を行うステップと、
解像度変換の完了後に前記ＨＤＭＩ出力器のミュートを解除して出力を再開するステップと、
を含む。
【００２８】
このビデオ・オーディオ出力装置の制御方法においては、第１のビデオデータの解像度が変動しても第２のビデオデータ（ＨＤＭＩ信号）の解像度は変動しないようになっている。したがって、本発明のビデオ・オーディオ出力装置による作用効果を発揮可能な制御を行うことが可能となる。
【００２９】
（８）本発明のビデオ・オーディオ出力装置の制御方法は、
解像度変動を伴う前記第１のビデオデータの入力切替が前記ビデオ入力器に生じると、切替後の前記第１のビデオデータが前記ビデオ入力器から出力されるのに先だって、前記ＨＤＭＩ信号の出力ミュート指示を前記ＨＤＭＩ出力器に行うステップと、
切替後の前記第１のビデオデータを前記ビデオ入力器から出力するステップと、
前記ビデオ入力器から出力された切替後の前記第１のビデオデータから、切替前の前記第１のビデオデータから生成されていた切替前の前記第２のビデオデータと同じ解像度を有する切替後の前記第２のビデオデータを、前記フォーマット変換器で生成するステップと、
前記ビデオ・オーディオ合成器で、切替後の前記第２のビデオデータと前記オーディオデータとを前記第３のクロック信号に同期して合成して切替後の前記ビデオ・オーディオ合成データを生成するステップと、
切替後の前記ビデオ・オーディオ合成データを前記暗号化器によって暗号化するステップと、
前記ＨＤＭＩ出力器の出力ミュートを解除したうえで、暗号化された切替後の前記ビデオ・オーディオ合成データから切替後の前記ＨＤＭＩ信号を、前記ＨＤＭＩ出力器で生成して出力するステップと、
を含む。
【００３０】
このビデオ・オーディオ出力装置の制御方法においては、ビデオ入力器に入力される第１のビデオデータの解像度が変動しても第２のビデオデータ（ＨＤＭＩ信号）の解像度は変動しないようになっている。さらには、暗号化されたＨＤＭＩ信号の送信であるにもかかわらず、受信機器との間で再認証を実施する必要がない。したがって、本発明のビデオ・オーディオ出力装置による作用効果を発揮可能な制御を行うことが可能となる。
（９）本発明のビデオ・オーディオ出力装置の制御方法は、
カラースペース変動を伴う前記第１のビデオデータの入力切替が前記ビデオ入力器に生じると、切替後の前記第１のビデオデータが前記ビデオ入力器から出力されるのに先だって、前記ＨＤＭＩ信号の出力ミュート指示を前記ＨＤＭＩ出力器に行うステップと、
切替後の前記第１のビデオデータを前記ビデオ入力器から出力するステップと、
前記ビデオ入力器から出力された切替後の前記第１のビデオデータから、切替前の前記第１のビデオデータから生成されていた切替前の前記第２のビデオデータと同じカラースペースを有する切替後の前記第２のビデオデータを、前記カラースペース変換器で生成するステップと、
前記ＨＤＭＩ出力器の出力ミュートを解除したうえで、切替後の前記第２のビデオデータから切替後の前記ＨＤＭＩ信号を、前記ＨＤＭＩ出力器で生成して出力するステップと、
を含む。
【００３１】
このビデオ・オーディオ出力装置の制御方法においては、第１のビデオデータのカラースペースが変動しても第２のビデオデータ（ＨＤＭＩ信号）のカラースペースは変動しないようになっている。したがって、本発明のビデオ・オーディオ出力装置による作用効果を発揮可能な制御を行うことが可能となる。
【００３２】
（１０）本発明のビデオ・オーディオ出力装置の制御方法は、
カラースペース変動を伴う前記第１のビデオデータの入力切替が前記ビデオ入力器に生じると、切替後の前記第１のビデオデータが前記ビデオ入力器から出力されるのに先だって、前記ＨＤＭＩ信号の出力ミュート指示を前記ＨＤＭＩ出力器に行うステップと、
切替後の前記第１のビデオデータを前記ビデオ入力器から出力するステップと、
前記ビデオ入力器から出力された切替後の前記第１のビデオデータから、切替前の前記第１のビデオデータから生成されていた切替前の前記第２のビデオデータと同じカラースペースを有する切替後の前記第２のビデオデータを、前記カラースペース変換器で生成するステップと、
切替後の前記第２のビデオデータを前記暗号化器によって暗号化するステップと、
前記ＨＤＭＩ出力器の出力ミュートを解除したうえで、暗号化された切替後の前記第２のビデオデータから切替後の前記ＨＤＭＩ信号を、前記ＨＤＭＩ出力器で生成して出力するステップと、
を含む。
【００３３】
このＨＤＭＩ送信装置制御用プログラムにおいては、ビデオ入力器に入力されるビデオデータの入力カラーフォーマットが変動しても出力カラースペースは変更しないようになっており、そして暗号化を伴うＨＤＭＩ信号送信であるにもかかわらず、受信機器との再認証を行わないようになっており、対応する上記のＨＤＭＩ送信装置による作用効果を発揮する制御が可能となる。
【発明の効果】
【００３４】
本発明によれば、メディアドライブとチューナとの切り替えや異種メディアの交換などの入力切替処理時において、この入力切替処理に起因して第２のビデオデータの解像度が変動しても、第２のビデオデータ（ＨＤＭＩ信号）の解像度に変動は生じない。そのため、ＨＤＭＩ送信装置と受信機器との間の接続関係や認証関係に不整合は発生しなくなる。これにより、ＨＤＭＩ送信装置から受信機器にＨＤＭＩ信号を出力する動作においてその動作を停止する必要性も、出力再開時において再認証を行う必要性もなくなる。その結果として、映像の乱れを生じさせることなく迅速に入力切替処理を実現することができる。特に暗号化ビデオデータを扱う場合に再認証を省略できることは、入力切替処理を迅速に遂行する上できわめて有利となる。
【発明を実施するための最良の形態】
【００３５】
以下、本発明の実施形態について、図面を参照しながら説明する。
【００３６】
（第１の実施形態）
以下、本発明にかかわるＨＤＭＩ送信装置の第１の実施の形態を図面を参照して詳細に説明する。第１の実施の形態は、入力される第１のビデオデータの解像度が変動しても受信機器との再認証を行わない態様のＨＤＭＩ送信装置に関してのものである。ここでのＨＤＭＩ送信装置は、ビデオ送信とオーディオ送信を兼ねている。
【００３７】
図１は本発明の実施の形態１におけるＨＤＭＩ送信装置を含むビデオ・オーディオ出力装置Ａと、これにＨＤＭＩ接続された受信機器３０とからなるシステムの概略構成を示すシステム構成図である。ビデオ・オーディオ出力装置Ａと受信機器３０とはＨＤＭＩケーブル４０で接続されている。ビデオ・オーディオ出力装置Ａ内のＨＤＭＩ送信装置１０は、入力されたビデオデータおよびオーディオデータをＨＤＭＩケーブル４０経由で受信機器３０に送信する。
【００３８】
本実施の形態のビデオ・オーディオ出力装置Ａは、チューナ１と、ＤＶＤドライブ２と、Ｂ／Ｅ ＬＳＩ内蔵のＣＰＵ３と、ＨＤＭＩ送信装置１０とを備える。ＨＤＭＩ送信装置１０は、ビデオ入力器１１と、オーディオ入力器１２と、フォーマット変換器１３と、ＨＤＭＩ変換器２３と、第１のクロック生成器１７と、レジスタ１８と、内部の発振器（ＯＳＣ）１９と、第２のクロック生成器２０とを備える。ＨＤＭＩ変換器２３は、ＣＳ変換器２２と、ビデオ・オーディオ合成器１４と、暗号化器１５と、ＨＤＭＩ出力器１６とを備える。
【００３９】
ビデオ入力器１１には、チューナ１やＤＶＤドライブ２からＣＰＵ３を介して送出されてくる第１のビデオデータが入力される。オーディオ入力器１２には、チューナ１やＤＶＤドライブ２からＣＰＵ３を介して送出されてくるオーディオデータが入力される。フォーマット変換器１３は、ビデオ入力器１１から出力される第１のビデオデータを所望の出力解像度に変換することで第２のビデオデータを生成する。ＣＳ変換器２２は、フォーマット変換器１３から供給されている第２のビデオデータをそのカラースペースを所望の出力カラースペースに変換したうえで出力する。ビデオ・オーディオ合成器１４は、ＣＳ変換器２２から供給されるカラースペース変換後の第２のビデオデータとオーディオ入力器１２から供給されるオーディオデータとを同期させて合成する。暗号化器１５は、ビデオ・オーディオ合成器１４で合成されたビデオ・オーディオ合成データを暗号化する。ＨＤＭＩ出力器１６は、暗号化器１５が出力する暗号化されたビデオ・オーディオ合成データをＨＤＭＩ信号に変換して外部に出力する。第１のクロック生成器１７は、ビデオ入力器１１において第１のビデオデータと同期して入力される第１のクロック信号ＣＫ０に基づいて、フォーマット変換器１３による変換後の解像度に対応する周波数の第２のクロック信号ＣＫ１を生成したうえで、生成した第２のクロック信号ＣＫ１をフォーマット変換器１３、ＣＳ変換器２２およびビデオ・オーディオ合成器１４に供給する。レジスタ１８は、ＣＰＵ３からの設定要求を受けて各部の動作モードを切り替える。第２のクロック生成器２０は、発振器１９が出力する発振信号Ｓｆに基づいて、ＨＤＭＩ出力器１６における出力解像度に対応した周波数を有する第３のクロック信号ＣＫ２を生成したうえで、生成した第３のクロック信号ＣＫ２をＣＳ変換器２２、ビデオ・オーディオ合成器１４、暗号化器１５およびＨＤＭＩ出力器１６に供給する。３１は受信機器３０に内蔵されたＨＤＭＩ受信装置である。
【００４０】
ビデオ入力器１１に入力される第１のビデオデータでは、ＤＶＤドライブ２とチューナ１との切り替えや異種ＤＶＤの交換などの入力切替処理に際してその入力解像度が変動することがあるが、フォーマット変換器１３は、その入力解像度の変動にかかわらず、第１のビデオデータを常に一定の出力解像度に変換することで第２のビデオデータを生成するように構成されている。例えば、第２のビデオデータの出力解像度があらかじめ１０８０Ｐに設定されているときは、入力切替処理にかかわらず第２のビデオデータの出力解像度は常に１０８０Ｐである。入力切替処理に伴って第１のビデオデータの入力解像度が１０８０Ｐから１０８０ｉに変動すると、フォーマット変換器１３の処理では、１０８０Ｐ→１０８０Ｐの解像度変換から１０８０ｉ→１０８０Ｐの解像度変換に変更される。これにより第２のビデオデータの出力解像度が一定不変に維持される。なお、１０８０ＰにおけるＰはプログレッシブ方式を表し、１０８０ｉにおけるｉは、インターレース方式を表している。
【００４１】
第２のクロック生成器２０は、第１のクロック生成器１７から独立して第３のクロック信号を生成している。具体的には第２のクロック生成器２０は、発振器１９の発振信号Ｓｆに基づいて第３のクロック信号ＣＫ２を生成している。第３のクロック信号ＣＫ２の周波数はＨＤＭＩ出力器１６の出力解像度（固定）に対応したものであって、入力切替処理にかかわらず、その周波数は常に一定である。この周波数一定の第３のクロック信号ＣＫ２は、ビデオ・オーディオ合成器１４、暗号化器１５およびＨＤＭＩ出力器１６に供給される。結果として、ＨＤＭＩ出力器１６は、従来技術とは異なって、周波数変化する第２のクロック信号ＣＫ１から切り離されたものになる。ＨＤＭＩ出力器１６は、第２のクロック生成器２０から供給される第３のクロック信号ＣＫ２（第２のクロック信号ＣＫ１から独立して生成される）に従ってＨＤＭＩ信号の出力動作を行う。
【００４２】
第１のビデオデータの入力解像度が変動するのに対して第２のビデオデータやＨＤＭＩ信号の出力解像度は固定されているので、変動する第１のビデオデータの入力解像度を固定された第２のビデオデータやＨＤＭＩ信号の出力解像度に変換する必要がある。この変換のために、フォーマット変換器１３が設けられている。フォーマット変換器１３は、変動する第１のビデオデータの入力解像度を、固定化されたＨＤＭＩ出力器１６での出力解像度（第２のビデオデータやＨＤＭＩ信号の解像度）と一致するように変換する。
【００４３】
以上の構成を備えているので、ＤＶＤドライブ２とチューナ１との切り替えや異種ＤＶＤの交換などの入力切替処理時において、入力切替処理に起因して入力解像度（第１のビデオデータの解像度)が変動しても、出力解像度(ＨＤＭＩ信号の解像度)は変動しない。したがって、ＨＤＭＩ送信装置１０と受信機器３０とにおける接続関係や認証関係に不整合が発生しない。そのため、ＨＤＭＩ送信装置１０から受信機器３０に出力しているＨＤＭＩ信号を一時停止する必要がなくなるうえに、出力再開も再認証も必要なくなる。したがって、入力切替処理を、映像の乱れを生じさせることなく迅速に実現することが可能となる。すなわち、従来切り替わった映像が再出画されるまで数秒かかっていた待ち時間がなくなって、瞬時に切り替わった映像を出画することが可能となる。
【００４４】
次に、上記のように構成された本実施の形態のビデオ・オーディオ出力装置Ａの入力切替処理時（ＤＶＤドライブ２→チューナ１）の動作シーケンスを図２を参照して説明する。以下の説明では、入力切替処理前において、ＤＶＤドライブ２から供給される第１のビデオデータは１０８０Ｐの解像度の特性を有した状態でビデオ入力器１１に入力され、所定の処理を経たのちＨＤＭＩ出力器１６から出力されているものとする。
【００４５】
ＤＶＤドライブ２からチューナ１に入力が切り替えられる処理が発生すると、ＣＰＵ３は、レジスタ１８に入力切替処理を指示し、ＨＤＭＩ出力器１６に出力ミュートを通知する（Ｓ１）。次いで、ＣＰＵ３は入力切替処理（ＤＶＤドライブ２→チューナ１）を行う（Ｓ２）。次いで、ＣＰＵ３はレジスタ１８に入出力解像度が１０８０Ｐ→１０８０Ｐから１０８０ｉ→１０８０Ｐに変更となったことを通知する。フォーマット変換器１３は、フォーマット変換器１３に通知された入出力解像度をレジスタ１８から読み出したうえで、読み出した入出力解像度に則したフォーマット変換（この場合は１０８０ｉ→１０８０Ｐ）を行う（Ｓ３）。ここで、出力の解像度（ＨＤＭＩ信号の解像度）は固定されているが、入力解像度（第１のビデオデータの解像度）が変動しているので、フォーマット変換器１３は、変動する入力解像度を固定の出力解像度に変換する処理を行う。次いで、ＣＰＵ３はレジスタ１８経由でＨＤＭＩ出力器１６にＨＤＭＩ信号の出力ミュート解除を通知する（Ｓ４）。
【００４６】
本実施の形態において、映像切替処理が完了するまでの区間Ｔｆは、システムによって異なるが、数１００ｍｓに短縮が可能となる（ちなみに、図７の従来技術の場合は数秒）。チューナ１からＤＶＤドライブ２への切り替えに対しても、上記と同様に有効である。また、ＣＰＵ３からフォーマット変換器１３に指示される第２のビデオデータの解像度（１０８０Ｐ）は固定されているため、ＤＶＤドライブ２から１０８０Ｐ以外の解像度を有する第１のビデオデータがＨＤＭＩ送信装置１０に入力される場合も、上記と同様に有効である。また、ＤＶＤドライブ２のメディアを入れ替えた結果、ＨＤＭＩ送信装置１０に入力される第１のビデオデータの解像度の設定が変わった場合でも、フォーマット変換器１３における第２のビデオデータの出力解像度の設定が固定されているため、上記と同様に有効である。さらに暗号化器１５が常にＯＦＦ状態の場合でも、上記と同様に有効である。
【００４７】
なお、図１はＤＶＤドライブ２とチューナ１とがある構成であるが、ＤＶＤドライブ２のみまたはチューナ１のみの構成でも、上記と同様に有効である。なお、フォーマット変換器１３において第２のビデオデータの出力解像度が固定されているため、Ｂ／Ｅ ＬＳＩのようなビデオ出力可能なＬＳＩが複数設けられた構成において、第１のビデオデータがビデオ入力器１１に切り替えられて入力される構成であっても、上記と同様に有効である。また、発振器１９はＨＤＭＩ送信装置１０の内部にあってもよい。また、発振器１９はＣＰＵ３に入力するクロックと同じクロックであることが望ましい。また、ＨＤＭＩ送信装置１０にオーディオ入力器１２がないビデオ出力のみの構成であってもよい。また、暗号化器１５がＨＤＭＩ送信装置１０内にない構成であってもよい。また、ＣＰＵ３がＨＤＭＩ送信装置１０内にあってもよく、ＨＤＭＩ送信装置１０はＬＳＩなどのハードウェアで実現してもよい。したがって、ＣＰＵ３およびＨＤＭＩ送信装置１０が１チップで実現されていてもよい。
【００４８】
（実施の形態２）
本発明の実施の形態２は、受信側が受信可能な最高解像度を出力する場合のＨＤＭＩ送信装置に関するものである。図３は本発明の実施の形態２におけるＨＤＭＩ送信装置を含むビデオ・オーディオ出力装置ＡとこれにＨＤＭＩ接続された受信機器３０とからなるシステムの概略構成を示すシステム構成図である。図３において、実施の形態１（図１）におけるのと同じ符号は同一構成要素を指している。本実施の形態に特有の構成は、次のとおりである。
【００４９】
３２は受信機器３０の内部に設けられ、受信機器３０の解像度等の受信能力を記述したＥＤＩＤ（Extended Display Identification Data）である。詳細にいえばＥＤＩＤ３２は、映像フォーマット、解像度、アスペクト比、フレーム周波数、カラースペース（色空間）、音声タイプ、音声サンプリング周波数、音声量子化ビット数などを含んでいる。２１はプラグアンドプレイ動作や著作権保護のＨＤＣＰの認証動作に用いられる情報を送受信するための低速の双方向バスであるＤＤＣ（Display Data Channel）ブロックである。ＥＤＩＤ３２はＨＤＭＩ受信装置３１からＨＤＭＩケーブル４０を介してＤＤＣブロック２１に送出される。さらに、ＥＤＩＤ３２はＤＤＣブロック２１からレジスタ１８経由でＣＰＵ３に送られる。ＣＰＵ３は、取得したＥＤＩＤ３２の内容を、内蔵のプログラム２４を用いて解析することで、受信機器３０で受信可能な解像度を把握する。ＥＤＩＤ３２の解析の結果、受信機器３０で受信可能な解像度が、例えば４８０Ｐ、７２０Ｐ、１０８０ｉ、１０８０Ｐの４種類であれば、ＣＰＵ３は、最高解像度として常時１０８０Ｐを選択するものとする。本実施の形態では、ＤＤＣブロック２１が受信能力情報取得器に相当し、ＣＰＵ３が受信能力解析器に相当し、レジスタ１８が解像度設定器に相当する。その他の構成については、実施の形態１と同様であるので、説明を省略する。
【００５０】
図４は本実施の形態におけるビデオ・オーディオ出力装置Ａが出力する解像度選択メニューの一例である。取得したＥＤＩＤ３２を解析して受信能力を図４のようにユーザに表示する。ＡＵＴＯを選択した場合は、常時最高解像度を選択するものとする。また、ユーザにより所望の解像度を固定させてもよい。例えば１０８０ｉ選択時は、入力切替処理により第１のビデオデータの解像度が変更されても、第２のビデオデータやＨＤＭＩ信号の解像度（出力解像度）は前回ユーザにより設定された解像度１０８０ｉに常時固定される。
【００５１】
次に、ＣＰＵ３に内蔵されたプログラム２４の動作を、図５のフローチャートを参照して説明する。プログラム２４は、記録媒体に保存されたうえでＣＰＵ３にインストールされる。まず、ステップｎ１において、ビデオ・オーディオ出力装置ＡのＨＤＭＩ送信装置１０と受信機器３０とがＨＤＭＩケーブル４０で接続状態になったことが確認される。次いでステップｎ２において、受信機器３０内のＥＤＩＤ３２が取得されてその解析が行われる。次いでステップｎ３において、入力映像（第１のビデオデータ）の準備ができたうえでその入力映像がＨＤＭＩ送信装置１０に入力されているか否かが確認される。次いでステップｎ４において、ステップｎ２によるＥＤＩＤ解析の結果得られる最高解像度が選択されてフォーマット変換が行われたうえで、ミュート状態にあるＨＤＭＩ信号の出力が開始される。なお、ここの処理では、最高解像度以外の、前回ユーザにより出力選択されていた解像度が選択されてもよい。次いでステップｎ５において、受信機器３０が著作権保護にかかわるＨＤＣＰ対応機器であるか否かが判別される。ＨＤＣＰ対応機器であれば、ステップｎ６に進んで、ＨＤＣＰ認証処理が行われる。次いでステップｎ７において、出力ミュートが解除されて、ステップｎ４により決定された出力解像度でＨＤＭＩ信号が出力される。次いでステップｎ８において、ユーザからのメニュー選択において現状のＨＤＭＩ信号の出力状態におけるＨＤＭＩ信号の出力解像度の変更要求があるか否かが判断される。変更がなければステップｎ９に進み、変更があればステップｎ１２に進む。出力解像度の変更がなくてステップｎ９に進むと、ここでは、入力切替処理が発生したか否かが判断される。入力切替処理を確認できなければＨＤＭＩ信号の出力再開（ミュート解除）のステップｎ７に進み、確認できればステップｎ１０に進む。出力解像度の変更がなくかつ入力切替処理が発生したことが確認された場合に進むステップｎ１０では、ＨＤＭＩ信号の出力ミュートが行われる。次いでステップｎ１１において、第１のビデオデータのフォーマット変換（第２のビデオデータならびにＨＤＭＩ信号の生成）が実施されたうえで、ＨＤＭＩ信号の出力再開（ミュート解除）のステップｎ７に進む。ステップｎ１０においてＨＤＭＩ信号の出力ミュートが実施される時間区間は、図２におけるＴｆ区間に相当する。ステップｎ８で出力解像度（ＨＤＭＩ信号の解像度）変更有りと判断される場合にはステップｎ１２に進む。ステップｎ１２では、ＨＤＭＩ信号の出力が停止される。ステップｎ１２でＨＤＭＩ信号の出力が停止されたのち、ステップｎ３の入力準備判定に戻り、再度出力設定（ステップｎ４）が行われる。以上のプログラム２４が実施されることにより、入力切替処理時には、瞬時に出力映像が出力される。なお、ステップｎ１２におけるＨＤＭＩ信号の出力停止がなされた後に、ステップｎ４の出力設定処理に遷移してもよい。また、暗号化器１５がない構成であっても、図５のフローチャートからステップｎ５のＨＤＣＰ対応と、ステップｎ６のＨＤＣＰ認証を省略すれば、上記と同様に有効である。また、ＣＰＵ３がＨＤＭＩ送信装置１０内にあってもよく、ＨＤＭＩ送信装置１０はＬＳＩなどのハードウェアで実現してもよい。したがって、ＣＰＵ３およびＨＤＭＩ送信装置１０が１チップで実現されていてもよい。
【００５２】
（実施の形態３）
本発明の実施の形態３は、第１のビデオデータのカラースペースが変動しても受信機器との再認証を行わない態様のＨＤＭＩ送信装置に関するものである。ここでのＨＤＭＩ送信装置は、ビデオ送信とオーディオ送信を兼ねている。図３は本発明の実施の形態３におけるＨＤＭＩ送信装置を含むビデオ・オーディオ出力装置ＡとこれにＨＤＭＩ接続された受信機器３０とからなるシステムの概略構成を示すシステム構成図である。ビデオ・オーディオ出力装置Ａと受信機器３０とはＨＤＭＩケーブル４０で接続されている。ビデオ・オーディオ出力装置Ａ内のＨＤＭＩ送信装置１０は、入力された第１のビデオデータおよびオーディオデータを合成して、ＨＤＭＩ信号を生成したうえで、そのＨＤＭＩ信号をＨＤＭＩケーブル４０経由で受信機器３０に送信する。
【００５３】
本実施の形態のビデオ・オーディオ出力装置Ａは、チューナ１と、ＤＶＤドライブ２と、Ｂ／Ｅ ＬＳＩ内蔵のＣＰＵ３と、ＨＤＭＩ送信装置１０とを備える。ＨＤＭＩ送信装置１０は、ビデオ入力器１１と、オーディオ入力器１２と、フォーマット変換器１３と、ＨＤＭＩ変換器２３と、第１のクロック生成器１７と、レジスタ１８と、内部の発振器（ＯＳＣ）１９と、第２のクロック生成器２０とを備える。ＨＤＭＩ変換器２３は、ＣＳ変換器２２と、ビデオ・オーディオ合成器１４と、暗号化器１５と、ＨＤＭＩ出力器１６とを備える。
【００５４】
ビデオ入力器１１には、チューナ１やＤＶＤドライブ２からＣＰＵ３を介して送出されてくる第１のビデオデータが入力される。オーディオ入力器１２には、チューナ１やＤＶＤドライブ２からＣＰＵ３を介して送出されてくるオーディオデータが入力される。フォーマット変換器１３は、ビデオ入力器１１から出力される第１のビデオデータを所望の解像度に変換することで第２のビデオデータを生成する。ＣＳ変換器２２は、フォーマット変換器１３から供給される第２のビデオデータをそのカラースペースを所望の出力カラースペースに変換したうえで出力する。ビデオ・オーディオ合成器１４は、ＣＳ変換器２２から供給されるカラースペース変換後の第２のビデオデータとオーディオ入力器１２から供給されるオーディオデータとを同期して合成する。暗号化器１５は、ビデオ・オーディオ合成器１４で合成されたビデオ・オーディオ合成データを暗号化する。ＨＤＭＩ出力器１６は、暗号化器１５が出力する暗号化されたビデオ・オーディオ合成データをＨＤＭＩ信号に変換し、変換したＨＤＭＩ信号を外部に出力する。第１のクロック生成器１７は、ビデオ入力器１１に第１のビデオデータと同期して入力される第１のクロック信号ＣＫ０から、フォーマット変換器１３によって解像度変換された後の第２のビデオデータの解像度に対応する周波数を有する第２のクロック信号ＣＫ１を生成したうえで、生成した第２のクロック信号ＣＫ１をフォーマット変換器１３、ＣＳ変換器２２およびビデオ・オーディオ合成器１４に供給する。レジスタ１８は、ＣＰＵ３からの設定要求を受けて各部の動作モードを切り替える。第２のクロック生成器２０は、発振器１９から出力される発振信号Ｓｆに基づいてＨＤＭＩ出力器１６から出力されるＨＤＭＩ信号の解像度に対応する周波数を有する第３のクロック信号ＣＫ２を生成したうえで、生成した第３のクロック信号ＣＫ２をＣＳ変換器２２、ビデオ・オーディオ合成器１４、暗号化器１５およびＨＤＭＩ出力器１６へ供給する。３１は受信機器３０に内蔵されたＨＤＭＩ受信装置である。
【００５５】
ＤＶＤドライブ２とチューナ１との切り替えや異種ＤＶＤの交換などの入力切替処理においては、ビデオ入力器１１に入力される第１のビデオデータの入力解像度やカラースペースに変動が生じることがある。ＣＳ変換器２２は、入力される第２のビデオデータのカラースペースを所望のカラースペースに変換する。カラースペース変換としては、例えばＲＧＢ信号（入力）→ＹＣｂＣｒ信号（出力）への変換、またはＹＣｂＣｒ信号（入力）→ＲＧＢ信号（出力）への変換などがある。
【００５６】
第２のクロック生成器２０は、発振器１９からの発振信号Ｓｆに基づいて第３のクロック信号ＣＫ２を生成しており、第１のクロック生成器１７とは独立した状態で第３のクロック信号を生成している。第３のクロック信号ＣＫ２の周波数はＨＤＭＩ出力器１６から出力されるＨＤＭＩ信号の出力解像度（固定）に対応したもので、入力切替処理にかかわらず、その周波数は常に一定である。この周波数一定の第３のクロック信号ＣＫ２は、ビデオ・オーディオ合成器１４、暗号化器１５およびＨＤＭＩ出力器１６に供給される。結果として、ＨＤＭＩ出力器１６は、従来技術とは異なり、周波数変化する第２のクロック信号ＣＫ１から切り離されたものになる。ＨＤＭＩ出力器１６は、第２のクロック生成器２０から供給される第３のクロック信号ＣＫ２（第２のクロック信号ＣＫ１とは独立している）に基づいてＨＤＭＩ信号の出力動作を行う。
【００５７】
第１のビデオデータの解像度／カラースペースは変動するのに対して、ＨＤＭＩ信号（第２のビデオデータ）の解像度は固定されている。そのため、変動する入力解像度（第１のビデオデータの解像度）を固定の出力解像度（ＨＤＭＩ信号（第２のビデオデータ）の解像度）に変換する必要がある。この変換のために、フォーマット変換器１３が設けられる。フォーマット変換器１３は、変動する入力解像度を、ＨＤＭＩ出力器１６において固定された出力解像度に合わせて変換する。
【００５８】
第１のビデオデータのカラースペースを切替えて、第２のビデオデータを生成する場合（ＹＣbＣr←→ＲＧＢ）、通常、第２のビデオデータのバス幅は、第１のビデオデータのバス幅から変動する。そのため、第１のビデオ信号も一瞬途切れる。しかしながら、本実施の形態のように、固定された第３のクロック信号に基づいて、ＨＤＭＩ信号（第２のビデオデータ）の出力構成であれば、入力のバス幅が変動しても、第２のクロック信号は、第３のクロック信号に影響を及ぼさない。そのため、瞬時にＨＤＭＩ信号（第２のビデオデータ）を出力することが可能となる。
【００５９】
以上の結果、ＤＶＤドライブ２とチューナ１との切り替えや異種ＤＶＤの交換などの入力切替処理時において、この入力切替処理に起因して第１のビデオデータの解像度／カラースペースが変動しても、第２のビデオデータやＨＤＭＩ信号の解像度に変動は生じなくなる。したがって、ＨＤＭＩ送信装置１０と受信機器３０との間の接続関係や認証関係に不整合が発生しない。そのため、ＨＤＭＩ送信装置１０から受信機器３０へのＨＤＭＩ信号の出力停止を行う必要がなく、出力再開も再認証も必要でなくなる。したがって、入力切替処理に際して、映像の乱れなく迅速に入力切替処理を実現することができる。すなわち、従来では切り替わった映像の再出画まで数秒あった待ち時間がなくなり、瞬時に切り替わった映像を出画することが可能となる。
【００６０】
次に、上記のように構成された本実施の形態のビデオ・オーディオ出力装置Ａの入力カラースペース切替時（ＲＧＢ→ＹＣｂＣｒ）の動作シーケンスを図８を参照して説明する。以下の説明では、入力切替処理前において、ＤＶＤドライブ２から供給される第１のビデオデータは、カラースペース（ＲＧＢ信号）でビデオ入力器１１に入力されたうえで、所定の処理を経たのちＨＤＭＩ出力器１６から出力されているものとする。
【００６１】
ＤＶＤドライブ２においてＤＶＤが交換される等により第１のビデオデータのカラースペースが切り替わると、ＣＰＵ３は、レジスタ１８に入力切替処理を要求し、ＨＤＭＩ出力器１６にＨＤＭＩ信号の出力ミュートを通知する（Ｐ１）。次いで、ＣＰＵ３は入力切替処理（ＲＧＢ→ＹＣｂＣｒ）を行う（Ｐ２）。次いで、ＣＰＵ３はレジスタ１８にＣＳ変換器２２に入力される第２のビデオデータのカラースペースがＲＧＢ→ＹＣｂＣｒに変更となったことを通知する。これにより、ＣＳ変換器２２は変換設定をＲＧＢ→ＹＣｂＣｒからＹＣｂＣｒ→ＹＣｂＣｒに変更する（Ｐ３）。次いで、ＨＤＭＩ信号の出力ミュートの解除がレジスタ１８経由でＨＤＭＩ出力器１６に通知される（Ｐ４）。
【００６２】
本実施の形態において、映像切替処理が完了するまでの時間区間Ｔｅは、システムによって異なるが、数１００ｍｓに短縮することが可能となる（ちなみに、図９の従来技術の場合は数秒）。チューナ１からＤＶＤドライブ２への切り替えに対しても、上記と同様に有効である。また、ＣＳ変換器２２はＣＰＵ３から指示される第２のビデオデータのカラースペース（ＹＣｂＣｒ）が固定されているため、チューナ１からＲＧＢ以外のカラースペースを有する第１のビデオデータがＨＤＭＩ送信装置１０に入力される場合も、上記と同様に有効である。暗号化器１５が常にＯＦＦ状態の場合でも、上記と同様に有効である。
【００６３】
なお、図１はＤＶＤドライブ２とチューナ１とがある構成であるが、ＤＶＤドライブ２のみまたはチューナ１のみの構成でも、上記と同様に有効である。なお、本例は、第２のビデオデータのカラースペースをＲＧＢからＹＣｂＣrに変更したうえで、ＨＤＭＩ信号ではカラースペースを変動させない（常にＹＣｂＣｒ）切替を示したが、第２のビデオデータのカラースペースをＹＣｂＣｒからＲＧＢに変更したうえで、ＨＤＭＩ信号ではカラースペースは変動させない（常にＲＧＢ）の切替でも同様である。また、入力カラースペース（ＲＧＢ→ＹＣｂＣr）と出力カラースペース（ＲＧＢ→ＹＣｂＣr）とに例示されるように、入力カラースペースと出力カラースペースとを一致させる場合であっても、本発明の固定クロックによる出力方法であれば、入力のバス幅が変動しても出力クロックに影響がないため、瞬時に出力可能となる。
【００６４】
次に、ＣＰＵ３に内蔵されたプログラム２４の動作を、図５のフローチャートを参照して説明する。プログラム２４は、記録媒体に保存されたうえでＣＰＵ３にインストールされる。まず、ステップｎ１において、ビデオ・オーディオ出力装置ＡのＨＤＭＩ送信装置１０と受信機器３０とがＨＤＭＩケーブル４０で接続状態になったことが確認される。次いでステップｎ２において、受信機器３０内のＥＤＩＤ３２が取得されてその解析が行われる。次いでステップｎ３において、第１のビデオデータの入力準備ができたうえで第１のビデオデータがＨＤＭＩ送信装置１０に入力されているか否かが確認される。次いでステップｎ４において、ステップｎ２によるＥＤＩＤ解析での最高解像度が選択されたうえで、その解像度において第１のビデオデータのフォーマット変換とＣＳ変換とが行われることで第２のビデオデータが生成されたうえで、ミュート状態となっていたＨＤＭＩ信号の出力が開始される。なお、ここでの処理では、最高解像度以外の、前回ユーザにより出力選択されていた解像度が選択されてもよい。次いでステップｎ５において、受信機器３０が著作権保護にかかわるＨＤＣＰ対応機器であるか否かが判別される。ＨＤＣＰ対応機器であれば、ステップｎ６に進んで、ＨＤＣＰ認証処理が行われる。次いでステップｎ７において、ＨＤＭＩ信号の出力ミュートが解除されて、ステップｎ４により決定された解像度でＨＤＭＩ信号（ビデオ・オーディオ合成データ）が出力される。次いでステップｎ８において、ユーザが実施するメニュー選択における映像出力状態において、出力解像度（具体的には、第２のビデオデータやＨＤＭＩ信号の解像度）に変更要求があるか否かが判断される。変更がなければステップｎ９に進み、変更があればステップｎ１２に進む。出力解像度の変更がなくてステップｎ９に進むと、ここでは、入力切替処理が発生したかが判断される。入力切替処理を確認できなければ映像出力再開（ミュート解除）のステップｎ７に進み、確認できればステップｎ１０に進む。出力解像度の変更がなくかつ入力切替処理が発生したことが確認された場合に進むステップｎ１０では、ＨＤＭＩ信号の出力ミュートが行われる。次いでステップｎ１１において、フォーマット変換と出力ＣＳ変換が行われて第２のビデオデータが生成されたうえでＨＤＭＩ信号の出力（ミュート解除）のステップｎ７に進む。ステップｎ１０で出力ミュートが実施される時間区間は、図８のＴｅ区間に相当する。ステップｎ８で出力解像度変更有りと判断される場合にはステップｎ１２に進む。ステップｎ１２では、ＨＤＭＩ信号の出力が停止される。ステップｎ１２でＨＤＭＩ信号の出力が停止されたのち、ステップｎ３の入力準備判定に戻り、再度出力設定（ステップｎ４）が行われる。
【００６５】
本プログラムにより入力切替処理時は、瞬時に映像出力を行うことができる。なお、ステップｎ１２のＨＤＭＩ信号の出力停止後に、ステップｎ４の出力解像度決定に遷移してもよい。また、暗号化器１５がない構成であっても、図５のフローチャートからステップｎ５のＨＤＣＰ対応と、ステップｎ６のＨＤＣＰ認証を省略すれば、上記と同様に有効である。また、ＣＰＵ３がＨＤＭＩ送信装置１０内にあってもよく、ＨＤＭＩ送信装置１０はＬＳＩなどのハードウェアで実現してもよい。したがって、ＣＰＵ３およびＨＤＭＩ送信装置１０が１チップで実現されていてもよい。
【産業上の利用可能性】
【００６６】
本発明のＨＤＭＩ送信装置は、入力の切替が発生しても瞬時に映像音声が出力可能になり、ユーザにとって切り替え時の待ち時間が減るという品位的な効果を有し、ＨＤＭＩ接続構造を有するＡＶ機器に有用である。
【図面の簡単な説明】
【００６７】
【図１】は本発明の実施の形態１におけるＨＤＭＩ送信装置を含むビデオ・オーディオ出力装置とこれにＨＤＭＩ接続された受信機器とからなるシステムの概略構成を示すシステム構成図。
【図２】本発明の実施の形態２におけるビデオ・オーディオ出力装置の動作シーケンス図。
【図３】本発明の実施の形態２及び実施の形態３におけるＨＤＭＩ送信装置を含むビデオ・オーディオ出力装置とこれにＨＤＭＩ接続された受信機器とからなるシステムの概略構成を示すシステム構成図。
【図４】本発明の実施の形態２における解像度メニュー選択の例示図。
【図５】本発明の実施の形態２におけるビデオ・オーディオ出力装置の動作を示すフローチャート。
【図６】従来の技術におけるビデオ・オーディオ出力装置と受信機器とのシステム構成図。
【図７】従来の技術におけるビデオ・オーディオ出力装置の入力切替処理時の動作シーケンス図。
【図８】本発明の技術におけるビデオ・オーディオ出力装置の入力カラースペース切替時の動作シーケンス図。
【図９】従来の技術におけるビデオ・オーディオ出力装置の入力カラースペース切替時の動作シーケンス図。
【符号の説明】
【００６８】
Ａ  ビデオ・オーディオ出力装置
１  チューナ
２  ＤＶＤドライブ
３  ＣＰＵ
１０  ＨＤＭＩ送信装置
１１  ビデオ入力器
１２  オーディオ入力器
１３  フォーマット変換器
１４  ビデオ・オーディオ合成器
１５  暗号化器
１６  ＨＤＭＩ出力器
１７  第１のクロック生成器
１８  レジスタ
１９  発振器
２０  第２のクロック生成器
２１  ＤＤＣブロック
２２  ＣＳ変換器
３０  受信機器
３１  ＨＤＭＩ受信装置
３２  ＥＤＩＤ
【図１】
2009100456.tif 000003
【図２】
2009100456.tif 000004
【図３】
2009100456.tif 000005
【図４】
2009100456.tif 000006
【図５】
2009100456.tif 000007
【図６】
2009100456.tif 000008
【図７】
2009100456.tif 000009
【図８】
2009100456.tif 000010
【図９】
2009100456.tif 000011